(57)【要約】【課題】シャーシへの組付けが容易に行なえ、がたつきが生じ難いガイドシャフトの固定構造を備えた光ディスクドライブ装置を提供する。【解決手段】光ピックアップを光ディスクの径方向に移動可能に支持する一対のガイドシャフト３２ａ，３２ｂのうち、光ピックアップを移動させるための駆動モータ側に位置するガイドシャフト３２ａとは異なる方のガイドシャフト３２ｂを、アウトサート成形を用いてシャーシ１０に一体的に固定する。【選択図】　　　　図１
2004086993.tif 000002
【特許請求の範囲】
【請求項１】
第１のシャーシと、
前記第１のシャーシに対面して配置される第２のシャーシと、
前記第１のシャーシに組付けられ、ＤＶＤ（Ｄｉｇｉｔａｌ　Ｖｅｒｓａｔｉｌｅ　Ｄｉｓｃ）を搭載して回転するターンテーブルと、
ＤＶＤの情報記録トラックに光ビームを照射する光ピックアップと、
前記第２のシャーシに固定され、前記光ピックアップをＤＶＤの径方向に移動可能に支持する一対のガイドシャフトと、
前記光ピックアップを移動させるための駆動モータとを備え、
前記光ピックアップは、前記駆動モータによる駆動を受ける被駆動部を有し、
前記一対のガイドシャフトのうち、前記被駆動部側に位置しているガイドシャフトと異なる方のガイドシャフトが、アウトサート成形により、前記第２のシャーシに樹脂にて一体的に固定されている、光ディスクドライブ装置。
【請求項２】
ターンテーブルに搭載された光ディスク状記録媒体の情報記録トラックに光ビームを照射する光ピックアップと、
前記光ピックアップを光ディスク状記録媒体の径方向に移動可能に支持する一対のガイドシャフトと、
前記一対のガイドシャフトが固定されるシャーシとを備え、
前記一対のガイドシャフトのうち、いずれか一方のガイドシャフトが、樹脂にて前記シャーシに一体的に固定されている、光ディスクドライブ装置。
【請求項３】
前記ガイドシャフトと前記シャーシとの一体的な固定は、アウトサート成形によって行なわれている、請求項２に記載の光ディスクドライブ装置。
【請求項４】
前記光ピックアップを移動させるための駆動モータを備え、
前記光ピックアップは、前記駆動モータによる駆動を受ける被駆動部を有し、
前記一対のガイドシャフトのうち、前記樹脂にて前記シャーシに一体的に固定されたガイドシャフトとは異なる方のガイドシャフトが、前記被駆動部側に位置している、請求項２または３に記載の光ディスクドライブ装置。
【発明の詳細な説明】
【０００１】
【発明の属する技術分野】
本発明は、光情報記録媒体である光ディスク状記録媒体に対して情報の記録／再生を行なう光ディスクドライブ装置に関し、特に、ＤＶＤやＣＤ−ＲＷ（Ｃｏｍｐａｃｔ　Ｄｉｓｃ−Ｒｅｗｒｉｔａｂｌｅ）などの高密度光情報記録媒体の記録／再生を行なう光ディスクドライブ装置に関する。
【０００２】
【従来の技術】
光ディスクドライブ装置は、光情報記録媒体である光ディスク状記録媒体（以下、単に光ディスクと言う。）の情報記録トラックに、光ビームを微小なスポットとして集光および走査することにより、情報の記録および消去を行なう装置である。また、情報の再生にあたっては、光ディスクの情報記録トラックに照射された光ビームの反射光を読み取って情報の再生を行なう。光ディスクの情報記録トラックに対する光ビームの照射には、一般に光ピックアップが用いられる。
【０００３】
光ディスクは、その情報記録面に多数の情報記録トラックを有している。情報の記録／再生を行なう際には、高速回転する光ディスクの情報記録面に設けられた多数の情報記録トラックのうち、選択された１の情報記録トラックにのみ、適正な角度にて光ビームを照射する必要がある。このため、光ピックアップは、光ディスクの径方向に移動自在に配置される。
【０００４】
光ピックアップを光ディスクの径方向に移動自在に配置するには、通常、一対のガイドシャフトと駆動モータとが用いられる。すなわち、一対のガイドシャフトを光ディスクの径方向に向かって延びるように略平行にシャーシに固定し、この一対のガイドシャフトに沿って移動するように光ピックアップをガイドシャフトに取付ける。さらに、光ピックアップに、駆動モータによる駆動を受ける被駆動部を設けることにより、駆動モータの動作を制御することによって光ピックアップの移動を制御することが可能になる。一般に、このような光ピックアップの移動機構をトラバース機構と呼ぶ。
【０００５】
ガイドシャフトへの光ピックアップの取付け方としては、光ピックアップに貫通孔を設け、ガイドシャフトをこの貫通孔に挿通させて取付ける取付け構造と、ガイドシャフトを挟み込んで保持する挟持部を光ピックアップに設け、この挟持部にてガイドシャフトを挟持する取付け構造との２通りが考えられる。前者においては、ガイドシャフトをシャーシに固定する際に予め光ピックアップをガイドシャフトに取付けておく必要があるが、がたつきは生じないという利点がある。一方、後者においては、がたつきが生じるおそれはあるが、ガイドシャフトをシャーシに固定した後に光ピックアップをガイドシャフトに取付けることができるという利点がある。なお、がたつきとは、振動などの影響によって光ピックアップとガイドシャフトとの取付けに緩みが生じることを言う。
【０００６】
このため、がたつきの防止と取付け作業の容易性の両立を図るために、駆動モータによって駆動される被駆動部側のガイドシャフトを上記貫通孔を用いた取付け構造とし、他方のガイドシャフトを上記挟持部を用いた取付け構造とすることが好ましい。これにより、駆動モータによって駆動されることで生じる振動に対してもがたつきが生じ難く、かつ光ピックアップのガイドシャフトへの取付けが容易に行なえる光ピックアップの取付け構造が実現される。
【０００７】
以下においては、上述の如く光ピックアップが貫通孔と挟持部とを備え、これらによって光ピックアップがガイドシャフトへと取付けられる構造を採用した場合のガイドシャフトのシャーシへの組付け構造について、図を参照して詳細に説明する。
【０００８】
図４は、従来の光ディスクドライブ装置におけるガイドシャフトの組付け構造を示す斜視図である。なお、図においては、光ピックアップの図示は省略してある。図に示すように、シャーシ１１０は、中央に開口１１１を有する金属製の板状部材からなる。開口１１１の周縁の所定位置には、樹脂からなる支持部１１２がアウトサート成形によって４箇所形成されている。なお、アウトサート成形とは、樹脂をアウトサート品（ここでは、シャーシに該当する。）の一部に成形にて付着固定させることにより、一体化した複合部品を作る工法のことを指す。
【０００９】
一対のガイドシャフトは、駆動モータによって駆動される被駆動部側のガイドシャフト１３２ａと、この被駆動部側のガイドシャフト１３２ａとは異なるもう一方のガイドシャフト１３２ｂとの２本からなる。これら２本のガイドシャフト１３２ａ，１３２ｂが、支持部１１２に座金１４２を介してビス１５２によって固定されることにより、一対のガイドシャフト１３２ａ，１３２ｂが略平行にシャーシ１１０に固定されることになる。ただし、ここでは図示を省略しているが、被駆動部側のガイドシャフト１３２ａのシャーシ１１０への固定の際には、予め光ピックアップに設けられた貫通孔にガイドシャフト１３２ａを挿通しておくことにより、光ピックアップをガイドシャフト１３２ａに取付けておく必要がある。
【００１０】
図５は、ガイドシャフトのシャーシへの固定部分を示す拡大上面図であり、図６は、図５におけるＶＩ−ＶＩ線に沿った断面図である。これらの図に示すように、アウトサート成形によってシャーシ１１０の端部を覆うように形成された支持部１１２は、シャーシ１１０の開口１１１に面する側に凹部１１２ａを有している。また、支持部１１２の凹部１１２ａ近傍の上面には、ビス穴１１２ｂが設けられている。ガイドシャフト１３２の一方端は、凹部１１２ａに嵌め込まれる。その上から座金１４２を介してビス１５２をビス穴１１２ｂに螺合することにより、座金１４２の下面によってガイドシャフト１３２の端部が支持部１１２へと押圧固定される。以上により、ガイドシャフト１３２がシャーシ１１０へと強固に固定される。
【００１１】
また、アウトサート成形によってシャーシに支持部を設けた場合の他のガイドシャフトの固定構造としては、支持部に凹部と爪部とを設け、凹部内に嵌め込んだガイドシャフトを爪部によって係止することにより、ガイドシャフトをシャーシに固定する構造なども知られている。
【００１２】
【発明が解決しようとする課題】
しかしながら、上述のいずれのガイドシャフトの固定構造においても、以下のような点で問題があった。
【００１３】
光ディスクドライブ装置にあっては、光ピックアップから照射される光ビームの照射方向と、光ディスクの情報記録面とを適正な角度に保つ必要がある。もし、この角度にずれが生じた場合には、本来予定している部分と異なる部分の情報記録トラックに光ビームが照射されることになり、トラッキングエラーが発生する。この光ビームの照射方向のずれが発生する原因としては、ガイドシャフトのシャーシに対するがたつきがある。このがたつきの発生を防止するためには、ガイドシャフトがシャーシに対してしっかりと固定されていることが必要である。
【００１４】
しかしながら、上述のいずれのガイドシャフトの固定構造においても、成形品の寸法精度の問題等から、がたつきの発生を完全に無くすことは困難であった。また、長期間使用することにより、振動等によってビスや爪部による固定が徐々に緩み、がたつきが生じるようになることもあった。
【００１５】
また、さらに他の問題点として、ビス止めによるガイドシャフトの固定構造にあっては、組付け作業が非常に煩雑になるという問題もあった。
【００１６】
そこで、本発明は、上述の問題点を解決すべくなされたものであり、シャーシへの組付けが容易に行なえ、かつがたつきが生じ難いガイドシャフトの固定構造を備えた光ディスクドライブ装置を提供することを目的とするものである。
【００１７】
【課題を解決するための手段】
本発明に基づく光ディスクドライブ装置は、第１および第２のシャーシと、ターンテーブルと、光ピックアップと、一対のガイドシャフトと、駆動モータとを備える。第１のシャーシと第２のシャーシとは、互いに対面するように配置される。ターンテーブルは、第１のシャーシに組付けられ、ＤＶＤを搭載して回転する。光ピックアップは、ＤＶＤの情報記録トラックに光ビームを照射する。一対のガイドシャフトは、第２のシャーシに固定され、光ピックアップをＤＶＤの径方向に移動可能に支持する。駆動モータは、光ピックアップを移動させる。光ピックアップは、駆動モータによる駆動を受ける被駆動部を有する。一対のガイドシャフトのうち、被駆動部側に位置しているガイドシャフトと異なる方のガイドシャフトが、アウトサート成形により、第２のシャーシに樹脂にて一体的に固定されている。
【００１８】
このように、駆動モータ側のガイドシャフトをビス止めによって固定し、他方のガイドシャフトをアウトサート成形によってシャーシに一体的に固定することにより、ガイドシャフトの組付け作業の容易化と、がたつきの発生の防止との両立が図られるようになる。
【００１９】
本発明に基づく光ディスクドライブ装置は、光ピックアップと、一対のガイドシャフトと、シャーシとを備える。光ピックアップは、ターンテーブルに搭載された光ディスク状記録媒体の情報記録トラックに光ビームを照射する。一対のガイドシャフトは、光ピックアップを光ディスク状記録媒体の径方向に移動可能に支持し、シャーシに固定される。一対のガイドシャフトのうち、いずれか一方のガイドシャフトが、樹脂にてシャーシに一体的に固定される。
【００２０】
このように、一対のガイドシャフトのうちのいずれか一方のガイドシャフトをシャーシに樹脂を用いて一体的に固定することにより、がたつきの生じない安定したガイドシャフトの固定が実現可能となる。また、この一体的な固定構造を採用することにより、非常に簡便にガイドシャフトをシャーシに固定することが可能になるため、製造工程の簡素化が図られる。
【００２１】
上記本発明に基づく光ディスクドライブ装置にあっては、たとえば、ガイドシャフトとシャーシとの一体的な固定は、アウトサート成形によって行なわれることが好ましい。
【００２２】
このように、ガイドシャフトとシャーシとをアウトサート成形によって固定することにより、上述のガイドシャフトとシャーシとの一体固定が簡便に実現できるようになる。
【００２３】
上記本発明に基づく光ディスクドライブ装置にあっては、たとえば、光ピックアップを移動させるための駆動モータを備え、光ピックアップは、駆動モータによる駆動を受ける被駆動部を有し、一対のガイドシャフトのうち、樹脂にてシャーシに一体的に固定されたガイドシャフトとは異なる方のガイドシャフトが、被駆動部側に位置していることが好ましい。
【００２４】
このように、光ピックアップの被駆動部側のガイドシャフトと異なる方のガイドシャフトを樹脂にて一体的にシャーシに組付けることにより、がたつきの生じ難い光ディスクドライブ装置を提供することが可能になる。
【００２５】
【発明の実施の形態】
以下、本発明の一実施の形態について、図を参照して説明する。
【００２６】
図１は、本発明の実施の形態における光ディスクドライブ装置のガイドシャフトの組付け構造を示す斜視図であり、図２は、図１におけるＩＩ−ＩＩ線に沿う断面図である。また、図３は、本発明の実施の形態における光ディスクドライブ装置のトラバース機構を説明するための上面図である。なお、図１においては、光ピックアップの図示は省略してある。
【００２７】
（ガイドシャフトの組付け構造）
図１に示すように、シャーシ１０は、中央に開口１１を有する金属製の板状部材からなる。開口１１の周縁の所定位置には、樹脂からなる支持部１２がアウトサート成形によって２箇所設けられている。この２箇所の支持部１２は、被駆動部側のガイドシャフト３２ａを支持固定する支持部である。もう一方のガイドシャフト３２ｂは、樹脂にてシャーシ１０に一体的に固定されている。すなわち、図２に示すように、シャーシ１０の端部を覆うように形成された固定部１３は、同時にガイドシャフト３２ｂの端部をも覆っている。なお、支持部１２と固定部１３とは、アウトサート成形によって同時に形成される。
【００２８】
この樹脂を用いたシャーシとガイドシャフトとの一体固定は、上述のようにアウトサート成形によって行なわれる。すなわち、金型にアウトサート品であるシャーシとガイドシャフトとをセットし、樹脂を金型内に圧入することによってシャーシとガイドシャフトとを固定する。これにより、がたつきの生じないガイドシャフトの固定が可能になる。なお、このアウトサート成形によるガイドシャフトのシャーシへの一体固定は、光ピックアップを予めガイドシャフトに取付けておく必要があるガイドシャフトの固定構造を採用したガイドシャフトには適用できない。すなわち、上述の貫通孔を用いた取付け構造のガイドシャフトには適用できない。しかしながら、挟持部を用いてガイドシャフトに光ピックアップを取付ける取付け構造を採用したガイドシャフトには、本固定構造が適用可能である。これは、挟持部を用いた場合には、ガイドシャフトをシャーシに組付けた後に光ピックアップをガイドシャフトに取付けることができるためである。
【００２９】
再び図１を参照して、被駆動部側のガイドシャフト３２ａは、従来例と同様の固定方法にてシャーシ１０に固定されている。すなわち、支持部１２に設けられた凹部１２ａにガイドシャフト３２ａの端部を嵌め込み、この凹部１２ａ近傍の支持部１２の上面に設けられたビス穴１２ｂに座金４２を介してビス５２を取付けることにより、ガイドシャフト３２ａが支持部１２へと押圧固定される。ただし、ここでは図示を省略しているが、被駆動部側のガイドシャフト３２ａのシャーシ１０への固定の際には、予め光ピックアップに設けられた貫通孔にガイドシャフト３２ａを挿通しておくことにより、光ピックアップをガイドシャフト３２ａに取付けておく必要がある。
【００３０】
（光ディスクドライブ装置のトラバース機構）
次に、上記ガイドシャフトの組付け構造が採用された場合のトラバース機構の構造について、図３を参照して詳細に説明する。上記において説明したシャーシ１０は、光ディスクドライブ装置に搭載される２枚のシャーシのうちの第２のシャーシに相当する。第１のシャーシ２０は、第２のシャーシ１０に対面するように配設されており、光ディスクを搭載して回転するターンテーブル１を有している。また、第１のシャーシ２０と第２のシャーシ１０とは、板バネ９によって押圧付勢されて固定されている。
【００３１】
ここで、２枚のシャーシが利用されるのは、微細化された情報記録トラックに光ビームを適切な角度にて照射するために、ターンテーブルと光ピックアップとの傾角を調節するためであり、そらぞれのシャーシにターンテーブルと光ピックアップとを組付けることにより、２枚のシャーシの傾角を調節することで光ビームの照射角度の適正化が図られる。
【００３２】
一対のガイドシャフト３２ａ，３２ｂは、それぞれ支持部１２および固定部１３を介して第２のシャーシ１０に固定されている。一対のガイドシャフト３２ａ，３２ｂには、光ピックアップ２が移動自在に取付けられる。光ピックアップ２は、所定位置に光ビームを照射するための対物レンズ３を有している。光ピックアップ２は、一方のガイドシャフト３２ａに対しては貫通孔が設けられた挿通部５を介して取付けられており、他方のガイドシャフト３２ｂに対しては挟持部４を介して取付けられている。
【００３３】
ガイドシャフト３２ａに隣接して配置された駆動モータ７は、駆動軸８を回転駆動する。この駆動軸８に形成された溝は、光ピックアップ２の被駆動部６と係合している。これにより、駆動モータ７の回転を制御することによって光ピックアップ２の光ディスクの径方向への移動が制御可能になる。
【００３４】
上記構成により、常に適切な角度にて光ディスクに光ビームを照射することが可能な光ディスクドライブ装置が実現される。
【００３５】
（効果）
本実施の形態に示したようなガイドシャフトの組付け構造を採用すれば、がたつきが生じ難くかつ組付け作業が容易に行なえるようになる。これにより、従来必要であったビス止めなどの作業を一部省略することが可能になり、製造コストの削減が可能になる。また、長期にわたってがたつきの発生が防止されるため、信頼性の高い光ディスクドライブ装置を提供することが可能になる。
【００３６】
（変形例）
上記実施の形態においては、アウトサート成形によりシャーシに一体的に固定したガイドシャフトと異なる方のガイドシャフトをビスによって固定した場合を例示して説明を行なったが、特にこれに限定されるものではなく、他の方法によって固定されていてもよい。
【００３７】
また、上記実施の形態においては、２枚のシャーシを備えたディスクドライブ装置を例示して説明を行なったが、特にこれに限定されるものではなく、１枚のシャーシにターンテーブルと光ピックアップが組付けられる構成の光ディスクドライブ装置に本発明を適用することも可能である。
【００３８】
さらには、本発明の適用が可能なディスクドライブ装置としては、ＣＤ−ＲＯＭ、ＣＤ−Ｒ、ＣＤ−ＲＷ、ＤＶＤ、ＤＶＤ−ＲＯＭなど、様々なメディアのドライブ装置に適用が可能である。また、再生専用の装置にも適用可能である。
【００３９】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【００４０】
【発明の効果】
本発明によれば、シャーシへの組付けが容易に行なえ、かつがたつきが生じ難いガイドシャフトの固定構造を備えた光ディスクドライブ装置を提供することが可能になる。
【図面の簡単な説明】
【図１】本発明の実施の形態における光ディスクドライブ装置のガイドシャフトの組付け構造を説明するための斜視図である。
【図２】図１におけるＩＩ−ＩＩ線に沿う断面図である。
【図３】本発明の実施の形態における光ディスクドライブ装置のトラバース機構の上面図である。
【図４】従来の光ディスクドライブ装置のガイドシャフトの組付け構造を説明するための斜視図である。
【図５】図４におけるガイドシャフトの固定部の拡大上面図である。
【図６】図５におけるＶＩ−ＶＩ線に沿う断面図である。
【符号の説明】
１　ターンテーブル、２　光ピックアップ、３　対物レンズ、４　挟持部、５挿通部、６　被駆動部、７　駆動モータ、８　駆動軸、９　板バネ、１０　第２のシャーシ、１１　開口部、１２　支持部、１２ａ　凹部、１２ｂ　ビス穴、１３　アウトサート固定部、２０　第１のシャーシ、３２ａ　（被駆動部側の）ガイドシャフト、３２ｂ　（被駆動部側とは異なる方の）ガイドシャフト、４２座金、５２　ビス。
【図１】
2004086993.tif 000003
【図２】
2004086993.tif 000004
【図３】
2004086993.tif 000005
【図４】
2004086993.tif 000006
【図５】
2004086993.tif 000007
【図６】
2004086993.tif 000008